(57)【要約】      （修正有）【課題】新たに取付孔を設けることなく、脚装置を容易に取り付けることができるようにし、作業性の向上を図るとともに、天板としてのデッキの支持を確実にした走行ボードを用いたテーブルを提供する。【解決手段】ノーズＤａ側及びテールＤｂ側に夫々車輪部を取り付けるための複数の取付孔６を有した走行ボードのデッキＤを天板として支持する走行ボードのデッキＤを用いたテーブルＴの脚装置Ｋとする。さらに、デッキＤ側の基端部１１及び接地される接地部１２を有した脚体１０と、脚体１０の基端部１１を支持しデッキＤの裏面に接合するベース２０とを備え、ベース２０にデッキＤの取付孔６に対応した複数の挿通孔２８を形成し、取付孔６及び挿通孔２８に軸状の止着部材３０としてのボルト３１を挿入してナット３３で止め、ベース２０をデッキＤに止着した。脚体１０を金属製棒材で折曲形成して構成し、ベース２０に折り畳み可能に設けた。【選択図】図３
0003182946.tif 000002
【実用新案登録請求の範囲】
【請求項１】
ノーズ側及びテール側に夫々車輪部を取り付けるための複数の取付孔を有した走行ボードのデッキを天板として支持する走行ボードのデッキを用いたテーブルの脚装置であって、
上記デッキ側の基端部及び接地される接地部を有した脚体と、該脚体の基端部を支持し上記デッキの裏面に接合するベースとを備え、該ベースに上記取付孔に対応した複数の挿通孔を形成し、上記取付孔及び挿通孔に軸状の止着部材を挿入して該ベースを止着可能にしたことを特徴とする走行ボードのデッキを用いたテーブルの脚装置。
【請求項２】
走行ボードのデッキを天板として支持する走行ボードのデッキを用いたテーブルの脚装置であって、該デッキは、ノーズ側に前輪部を取付けるための互いに所定間隔で離間した複数の取付孔を有したノーズ側取付部を有し、テール側に後輪部を取付けるための互いに所定間隔で離間した複数の取付孔を有したテール側取付部を有して構成され、
上記デッキ側の基端部及び接地される接地部を有した脚体と、該脚体の基端部を支持し上記デッキの裏面に接合するベースとを備え、
該ベースに、上記ノーズ側取付部及び／または上記テール側取付部の取付孔に対応した複数の挿通孔を形成し、上記取付孔及び挿通孔に軸状の止着部材を挿入して該ベースを止着可能にしたことを特徴とする走行ボードのデッキを用いたテーブルの脚装置。
【請求項３】
上記ベースに、上記ノーズ側取付部とテール側取付部との両者に対応可能な挿通孔を形成したことを特徴とする請求項２記載の走行ボードのデッキを用いたテーブルの脚装置。
【請求項４】
上記脚体を上記ベースに折り畳み可能に設けたことを特徴とする請求項２または３記載の走行ボードのデッキを用いたテーブルの脚装置。
【請求項５】
上記ベースを、上記脚体が上記デッキの裏面に沿うように折り畳まれる折り畳み位置及び起立して接地部が接地される起立位置の２位置に位置決め可能に該脚体の基端部を回動可能に支持する脚体支持部と、該脚体支持部の周囲に設けられ上記デッキの裏面に当接するとともに上記挿通孔が形成されたフランジとを備えて構成したことを特徴とする請求項４記載の走行ボードのデッキを用いたテーブルの脚装置。
【請求項６】
上記脚体を、金属製棒材で構成し、該棒材をその両端部が集束した基端部を構成し中央部分が接地部を構成するように折曲形成し、且つ、該棒材の両端部を同一の軸線を有した回動軸となるように折曲形成し、
上記ベースの脚体支持部を、上記脚体の基端部が挿通される開口を有するとともに側部に上記脚体の回動軸を回動可能に軸支する軸受部を有したカップ状に形成したことを特徴とする請求項５記載の走行ボードのデッキを用いたテーブルの脚装置。
【請求項７】
上記脚体の基端部を、その両端部が互いに拡開する方向に付勢力が生じ、該脚体の回動時に上記開口に摺接可能になるように該開口に当接させ、上記開口に、上記脚体の折り畳み位置及び起立位置において該棒材の付勢力により該棒材が没入して位置決めされる位置決め凹部を形成したことを特徴とする請求項６記載の走行ボードのデッキを用いたテーブルの脚装置。
【請求項８】
上記接地部を、該デッキの面方向に沿い且つ該デッキの幅方向に延びる幅方向部と、該幅方向部の両側に形成された円弧状の円弧部とを備えて構成したことを特徴とする請求項６または７記載の走行ボードのデッキを用いたテーブルの脚装置。
【請求項９】
ノーズ側及びテール側に夫々車輪部を取り付けるための複数の取付孔を有した走行ボードのデッキを天板として脚装置により支持してなる走行ボードのデッキを用いたテーブルであって、
上記デッキに、上記請求項１記載の脚装置を設けたことを特徴とする走行ボードのデッキを用いたテーブル。
【請求項１０】
走行ボードのデッキを一対の脚装置で支持してなる走行ボードのデッキを用いたテーブルであって、該デッキは、ノーズ側に前輪部を取付けるための互いに所定間隔で離間した複数の取付孔を有したノーズ側取付部を有し、テール側に後輪部を取付けるための互いに所定間隔で離間した複数の取付孔を有したテール側取付部を有して構成され、
上記ノーズ側取付部及び上記テール側取付部に、上記請求項２乃至８何れかに記載の対応する脚装置を夫々設けたことを特徴とする走行ボードのデッキを用いたテーブル。
【考案の詳細な説明】
【技術分野】
【０００１】
本考案は、スケートボード，キックボード（Ｋ・Ｂ），マウンテンボード、グラスボード等の走行ボードのデッキを用いたテーブルに係り、特に、既存の走行ボードをテーブルにするための脚装置及び走行ボードのデッキを用いたテーブルに関する。
【背景技術】
【０００２】
従来、走行ボードとして、例えば、特開２００３−１２６３２５号公報（特許文献１）に形成されたスケートボードが知られている。この走行ボードＳは、ノーズＤａ及びテールＤｂを有した板状のデッキＤを備え、このデッキＤのノーズＤａ側の裏面に前輪１ａを有した前輪部１を設け、デッキＤのテールＤｂ側裏面に後輪２ａを有した後輪部２を設けている。前輪部１及び後輪部２は、デッキＤの裏面に取り付けられるベース部材３を備え、このベース部材３には、デッキＤに取り付けるためのボルト４が挿通される４つの貫通孔５が形成されている。
【０００３】
デッキＤは、ノーズＤａ側に前輪部１を取付けるための互いに所定間隔で離間した複数の貫通する段付の取付孔６を有したノーズ側取付部７有しているとともに、テールＤｂ側に後輪部２を取付けるための互いに所定間隔で離間した複数の貫通する段付の取付孔６を有したテール側取付部８を有している。ノーズ側取付部７及びテール側取付部８の取付孔６は、例えば、ベース部材３に形成された４つの貫通孔５に対応させて４つ設けられ、長手方向のピッチＰａ及び幅方向のピッチＰｂを所定の間隔にして配置されている。尚、図１０は、デッキＤのノーズ側取付部７を示す。テール側取付部８も同様に形成されている。
【０００４】
そして、この走行ボードＳにおいては、前輪部１及び後輪部２は、ノーズ側取付部７及びテール側取付部８において、夫々、デッキＤの取付孔６側からボルト４を挿通し、貫通孔５を貫通させ、このボルト４にナット９をねじ込むことにより、デッキＤに固定される。
【先行技術文献】
【特許文献】
【０００５】
【特許文献１】特開２００３−１２６３２５号公報
【考案の概要】
【考案が解決しようとする課題】
【０００６】
ところで、このような走行ボードＳにおいては、耐用年数を過ぎるなどして使用を中止する際、記念にデッキＤを保存したい場合があるが、このようなときに、前輪部１及び後輪部２を取り外し、デッキＤの裏面に脚装置を取り付けてデッキＤを天板としたテーブルにすることを行うことがある。この場合、脚装置の取付けにおいて、ボルト，ナットや、木ネジなどを用いるが、ほとんどが新たに取付孔を形成しなければならないことになるので、既にある取付孔６と干渉してしまい、実質的に脚装置の取付けできなかったり、できても固定が不十分になることがあるという問題があった。また、新たに取付孔を設ける分、作業性を損ね、脚の組付け効率に劣るという問題もあった。
【０００７】
本考案は、上記の問題点に鑑みてなされたもので、新たに取付孔を設けることなく、脚装置を容易に取り付けることができるようにし、作業性の向上を図るとともに、天板としてのデッキの支持を確実にするようにした走行ボードのデッキを用いたテーブルの脚装置及びこれを装着した走行ボードを提供することを目的とする。
【課題を解決するための手段】
【０００８】
このような目的を達成するため、本考案の走行ボードのデッキを用いたテーブルの脚装置は、ノーズ側及びテール側に夫々車輪部を取り付けるための複数の取付孔を有した走行ボードのデッキを天板として支持する走行ボードのデッキを用いたテーブルの脚装置であって、上記デッキ側の基端部及び接地される接地部を有した脚体と、該脚体の基端部を支持し上記デッキの裏面に接合するベースとを備え、該ベースに上記取付孔に対応した複数の挿通孔を形成し、上記取付孔及び挿通孔に軸状の止着部材を挿入して該ベースを止着可能にした構成としている。ベースの大きさは、ノーズ側及びテール側に跨る大きさのものでも良い。あるいは、ベースの大きさは、車輪部のノーズ側取付部、あるいは、テール側取付部に対応した大きさのものでも良い。この場合、脚装置は、一対用意して、ノーズ側取付部及びテール側取付部の両方に夫々設けることが望ましい。
【０００９】
これにより、デッキに脚装置を取り付けるときは、デッキから車輪部を取り外し、脚装置のベースをその挿通孔が対応する取付孔に合致するように、デッキの裏面に接合させ、取付孔及び挿通孔に、例えば、ボルトや木ネジなどの軸状の止着部材を挿入し、即ち、例えば、ボルトの場合はナットを螺合して締め付け、木ネジの場合はデッキの取付孔に直接ネジ込み、ベースを止着する。この場合、デッキの既存の取付孔を利用することができるので、新たに取付孔を設けることなく、脚装置を容易に取り付けることができるようになり、作業性の向上を図ることができる。また、新たに取付孔を設ける場合に生じる虞のある既存の取付孔と干渉してしまう事態もないことから、固定がしっかりし、天板としてのデッキの支持を確実にすることができる。
【００１０】
より具体的には、本考案は、走行ボードのデッキを天板として支持する走行ボードのデッキを用いたテーブルの脚装置であって、該デッキは、ノーズ側に前輪部を取付けるための互いに所定間隔で離間した複数の取付孔を有したノーズ側取付部を有し、テール側に後輪部を取付けるための互いに所定間隔で離間した複数の取付孔を有したテール側取付部を有して構成され、
上記デッキ側の基端部及び接地される接地部を有した脚体と、該脚体の基端部を支持し上記デッキの裏面に接合するベースとを備え、
該ベースに、上記ノーズ側取付部及び／または上記テール側取付部の取付孔に対応した複数の挿通孔を形成し、上記取付孔及び挿通孔に軸状の止着部材を挿入して該ベースを止着可能にした構成としている。
【００１１】
この構成の脚装置は、デッキに取り付けの際は、ノーズ側取付部用及びテール側取付部用のものを一対用意する。この場合、ノーズ側取付部の取付孔とテール側取付部の取付孔との配置が互いに同じ、あるいは、互いに鏡面対象になっているような場合は、脚装置は、一種類のもので良い。また、ノーズ側取付部の取付孔とテール側取付部の取付孔との配置が互いに異なっていても、ノーズ側取付部の取付孔及びテール側取付部の取付孔の両者に対応した挿通孔が、ベースに設けられていれば、脚装置は、一種類のもので良い。もし、ノーズ側取付部の取付孔及びテール側取付部の取付孔の両者に対応させて挿通孔を形成できない場合には、夫々、対応する二種類の脚装置を用いることになる。
【００１２】
これにより、デッキに脚装置を取り付けるときは、デッキのノーズ側から前輪部を取り外し、テール側から後輪部を取り外す。そして、ノーズ側取付部及びテール側取付部夫々に対応する脚装置を用意し、この脚装置のベースをその挿通孔が対応する取付孔に合致するように、デッキの裏面に接合させ、取付孔及び挿通孔に、例えば、ボルトや木ネジなどの軸状の止着部材を挿入し、即ち、例えば、ボルトの場合はナットを螺合して締め付け、木ネジの場合はデッキの取付孔に直接ネジ込み、ベースを止着する。この場合、デッキの既存の取付孔を利用することができるので、新たに取付孔を設けることなく、脚装置を容易に取り付けることができるようになり、作業性の向上を図ることができる。また、新たに取付孔を設ける場合に生じる虞のある既存の取付孔と干渉してしまう事態もないことから、固定がしっかりし、天板としてのデッキの支持を確実にすることができる。
【００１３】
そして、必要に応じ、上記ベースに、上記ノーズ側取付部とテール側取付部との両者に対応可能な挿通孔を形成した構成としている。これにより、ノーズ側取付部の取付孔とテール側取付部の取付孔との配置が互いに異なっていても、ノーズ側取付部の取付孔及びテール側取付部の取付孔の両者に対応した挿通孔がベースに設けられているので、一種類の脚装置で対応することができ、そのため、部品点数が少なくて済むとともに、装置の製造効率が向上させられる。
【００１４】
また、必要に応じ、上記脚体を上記ベースに折り畳み可能に設けた構成としている。テーブルを使用しないときには、脚体を折り畳んでコンパクトすることができ、収納や搬送を容易にすることができる。
【００１５】
この場合、必要に応じ、上記ベースを、上記脚体が上記デッキの裏面に沿うように折り畳まれる折り畳み位置及び起立して接地部が接地される起立位置の２位置に位置決め可能に該脚体の基端部を回動可能に支持する脚体支持部と、該脚体支持部の周囲に設けられ上記デッキの裏面に当接するとともに上記挿通孔が形成されたフランジとを備えて構成している。比較的簡易な構造にすることができ、折り畳みの操作性もよく。コストダウンを図ることができる。
【００１６】
また、必要に応じ、上記脚体を、金属製棒材で構成し、該棒材をその両端部が集束した基端部を構成し中央部分が接地部を構成するように折曲形成し、且つ、該棒材の両端部を同一の軸線を有した回動軸となるように折曲形成し、上記ベースの脚体支持部を、上記脚体の基端部が挿通される開口を有するとともに側部に上記脚体の回動軸を回動可能に軸支する軸受部を有したカップ状に形成した構成としている。脚体を金属製棒材で構成したので、構造をより一層簡易化することができ、折り畳みの操作性も向上させて、コストダウンを図ることができる。
【００１７】
更に、必要に応じ、上記脚体の基端部を、その両端部が互いに拡開する方向に付勢力が生じ、該脚体の回動時に上記開口に摺接可能になるように該開口に当接させ、上記開口に、上記脚体の折り畳み位置及び起立位置において該棒材の付勢力により該棒材が没入して位置決めされる位置決め凹部を形成した構成としている。位置決めを容易かつ確実にすることができ、脚体の安定を図ることができる。
【００１８】
更にまた、必要に応じ、上記接地部を、該デッキの面方向に沿い且つ該デッキの幅方向に延びる幅方向部と、該幅方向部の両側に形成された円弧状の円弧部とを備えて構成している。棒材であっても幅方向部と円弧部で接地範囲を広く取ることができ、それだけ、安定してデッキを支持することができる。
【００１９】
そしてまた、上記目的を達成するため、本考案の走行ボードのデッキを用いたテーブルは、ノーズ側及びテール側に夫々車輪部を取り付けるための複数の取付孔を有した走行ボードのデッキを天板として脚装置により支持してなる走行ボードのデッキを用いたテーブルであって、デッキに、脚装置として、上記デッキ側の基端部及び接地される接地部を有した脚体と、該脚体の基端部を支持し上記デッキの裏面に接合するベースとを備え、該ベースに上記取付孔に対応した複数の挿通孔を形成し、上記取付孔及び挿通孔に軸状の止着部材を挿入して該ベースを止着可能にしたものを設けた構成としているとしている。上記と同様の作用，効果を奏する。
【００２０】
より具体的には、本考案は、走行ボードのデッキを一対の脚装置で支持してなる走行ボードのデッキを用いたテーブルであって、該デッキは、ノーズ側に前輪部を取付けるための互いに所定間隔で離間した複数の取付孔を有したノーズ側取付部を有し、テール側に後輪部を取付けるための互いに所定間隔で離間した複数の取付孔を有したテール側取付部を有して構成され、上記ノーズ側取付部及び上記テール側取付部に、上記の対応する脚装置を夫々設けた構成としている。これによっても、上記と同様の作用，効果を奏する。
【考案の効果】
【００２１】
本考案によれば、デッキに脚装置を取り付けるときは、デッキから車輪部を取り外し、脚装置のベースをその挿通孔が対応する取付孔に合致するように、デッキの裏面に接合させ、取付孔及び挿通孔に軸状の止着部材を挿入し、ベースを止着する。この場合、デッキの既存の取付孔を利用することができるので、新たに取付孔を設けることなく、脚装置を容易に取り付けることができるようになり、作業性の向上を図ることができる。また、新たに取付孔を設ける場合に生じる虞のある既存の取付孔と干渉してしまう事態もないことから、固定がしっかりし、天板としてのデッキの支持を確実にすることができる。
【図面の簡単な説明】
【００２２】
【図１】本考案の実施の形態に係る走行ボードのデッキを用いたテーブルを脚装置とともにを示す上から見た斜視図である。
【図２】本考案の実施の形態に係る走行ボードのデッキを用いたテーブルを脚装置とともにを示す下から見た斜視図である。
【図３】本考案の実施の形態に係る走行ボードのデッキを用いたテーブルにおいて、脚装置を取り付けるときの状態を示す分解斜視図である。
【図４】本考案の実施の形態に係る走行ボードのデッキを用いたテーブルの脚装置において、ベースの構成を示し、（ａ）は平面図、（ｂ）は（ａ）中Ａ−Ａ線断面図である。
【図５】本考案の実施の形態に係る走行ボードのデッキを用いたテーブルの脚装置を組み付けた状態を示す断面図である。
【図６】本考案の実施の形態に係る走行ボードのデッキを用いたテーブルの脚装置を組み付けた状態を示す下から見た斜視図である。
【図７】本考案の実施の形態に係る走行ボードのデッキを用いたテーブルにおいて、脚装置の脚体を折り畳んだ状態を示す図である。
【図８】本考案の実施の形態に係る走行ボードのデッキを用いたテーブル及びその脚装置の別の例を示す斜視図である。
【図９】本考案が適用される走行ボードとしてのスケートボードの一例を示す斜視図である。
【図１０】本考案が適用される走行ボードとしてのスケートボードの一例において、デッキの取付孔の一例を、車輪部の取付け状態とともに示す断面図である。
【考案を実施するための形態】
【００２３】
以下、添付図面に基づいて、本考案の実施の形態に係る走行ボードのデッキを用いたテーブルの脚装置及びこれを装着したテーブルについて詳細に説明する。
図１乃至図７に示す実施の形態に係る脚装置Ｋは、走行ボードのデッキＤを用いた実施の形態に係るテーブルＴに備えられるものである。図９及び図１０に示すように、走行ボードＳとしては、上述もしたように、例えば、スケートボードであり、これは、ノーズＤａ及びテールＤｂを有した板状のデッキＤを備え、このデッキＤのノーズＤａ側の裏面に前輪１ａを有した前輪部１を設け、デッキＤのテールＤｂ側裏面に後輪２ａを有した後輪部２を設けている。前輪部１及び後輪部２は、デッキＤの裏面に取り付けられるベース部材３を備え、このベース部材３には、デッキＤに取り付けるためのボルト４が挿通される４つの貫通孔５が形成されている。
【００２４】
デッキＤは、ノーズＤａ側に前輪部１を取付けるための互いに所定間隔で離間した複数の貫通する段付の取付孔６を有したノーズ側取付部７有しているとともに、テールＤｂ側に後輪部２を取付けるための互いに所定間隔で離間した複数の貫通する段付の取付孔６を有したテール側取付部８を有している。実施の形態では、ノーズ側取付部７及びテール側取付部８の取付孔６は、ベース部材３に形成された４つの貫通孔５に対応させて４つ設けられ、長手方向のピッチＰａ及び幅方向のピッチＰｂを所定の間隔にして配置されている。尚、図１０は、デッキＤのノーズ側取付部７を示す。テール側取付部８も同様に形成されている。
【００２５】
そして、この走行ボードＳにおいては、前輪部１及び後輪部２は、ノーズ側取付部７及びテール側取付部８において、夫々、デッキＤの取付孔６側からボルト４を挿通し、貫通孔５を貫通させ、このボルト４にナット９をねじ込むことにより、デッキＤに固定される。実施の形態に係るテーブルＴにおいては、この前輪部１及び後輪部２を取り外し、デッキＤのみを用いる。
【００２６】
実施の形態に係る脚装置Ｋは、デッキＤのノーズ側取付部７及びテール側取付部８に、夫々、取り付けられてデッキＤを天板として支持するものである。この脚装置Ｋは、デッキＤ側の基端部１１及び接地される接地部１２を有した脚体１０と、脚体１０の基端部１１を支持しデッキＤの裏面に接合するベース２０とを備えて構成されている。脚体１０は、ベース２０に折り畳み可能に設けられている。
【００２７】
詳しくは、脚体１０は、金属製の棒材１３で構成され、この棒材１３を、その両端部が集束した基端部１１を構成し中央部分が接地部１２を構成するように、左右対称に折曲形成されている。この場合、棒材１３は、その弾性により、脚体１０の両端部が互いに拡開する方向に付勢力が生じるように折曲形成されている。また、棒材１３の両端部は、デッキＤの幅方向に沿う方向に延びる同一の軸線Ｑ（図６）を有した回動軸１４となるように折曲形成されている。更に、脚体１０の接地部１２は、図６に示すように、デッキＤの面方向に沿い且つデッキＤの幅方向に延びる直線状の幅方向部１５と、この幅方向部１５の両側に形成された円弧状の円弧部１６とを備えて構成されている。円弧部１６と回動軸１４との間は、略直線状に形成されている。脚体１０の長さは、適宜に定められる。脚体１０を金属製棒材１３で構成したので、構造をより一層簡易化することができ、折り畳みの操作性も向上させて、コストダウンを図ることができる。
【００２８】
ベース２０は、脚体１０がデッキＤの裏面に沿うように折り畳まれる折り畳み位置Ｘ（図１乃至図６）及び起立して接地部１２が接地される起立位置Ｙ（図４，図５及び図７）の２位置に位置決め可能に脚体１０の基端部１１を回動可能に支持する脚体支持部２１と、この脚体支持部２１の周囲に一体形成されて設けられデッキＤの裏面に当接するフランジ２７とを備えて構成されている。
【００２９】
脚体支持部２１は、図４乃至図６に示すように、脚体１０の基端部１１が挿通される開口２２を有するとともに側部に脚体１０の回動軸１４を回動可能に軸支する軸受部２３を有したカップ状に形成されている。脚体１０の基端部１１は、その弾性により、脚体１０の両端部が互いに拡開する方向に付勢力が生じ、脚体１０の回動時に開口２２に摺接可能になるように該開口２２に当接させられている。そして、開口２２には、脚体１０の折り畳み位置Ｘにおいて棒材１３の付勢力により棒材１３が没入して位置決めされる折り畳み位置決め凹部２４と、脚体１０の起立位置Ｙにおいて棒材１３の付勢力により棒材１３が没入して位置決めされる起立位置決め凹部２５とが形成されている。起立位置決め凹部２５は、脚体１０が垂直軸に対して傾斜して位置決めされるように形成されている。
【００３０】
ベース２０のフランジ２７には、図４及び図５に示すように、ノーズ側取付部７及びテール側取付部８の取付孔６に対応した複数の挿通孔２８が形成されている。実施の形態では、ノーズ側取付部７及びテール側取付部８の取付孔６に対応させて、長手方向のピッチＰａ及び幅方向のピッチＰｂの所定の間隔とした４つの挿通孔２８が形成されている。また、スケートボードの他の機種の取付けピッチＰｃにも対応できるように、一方側の挿通孔２８との長手方向のピッチＰｃの所定間隔とした、更に２つの追加の挿通孔２８（Ａ）が形成され、全部で６つの挿通孔２８が形成されている。幅方向のピッチＰｂは一定である。即ち、ベース２０には、ノーズ側取付部７とテール側取付部８との両者に対応可能な挿通孔２８が形成されている。
【００３１】
そして、取付孔６及び挿通孔２８に軸状の止着部材３０を挿入して、このベース２０を止着可能にしている。実施の形態では、図３及び図５に示すように、止着部材３０はボルト３１で構成されている。ボルト３１にはワッシャ３２が挿通されナット３３が螺合される。
【００３２】
従って、この実施の形態に係る脚装置Ｋを用いて、テーブルＴを組み立てるときは、デッキＤのノーズ側から前輪部１を取り外し、テール側から後輪部２を取り外す。そして、脚装置Ｋを一対用意し、ノーズ側取付部７及びテール側取付部８に夫々取り付ける。この場合、ノーズ側取付部７の脚装置Ｋの折り畳み位置決め凹部２４と、テール側取付部８の脚装置Ｋの折り畳み位置決め凹部２４とが互いに向き合うように、一対の脚装置Ｋを配置する。即ち、ノーズ側取付部７の脚装置Ｋの脚体１０とテール側取付部８の脚装置Ｋの脚体１０とが、互いにノーズ及びテールの外方に向けて拡開する向きに配置する。そして、各脚装置Ｋにおいては、図５に示すように、ベース２０のフランジ２７をその挿通孔２８が対応する取付孔６に合致するように、デッキＤの裏面に接合させ、取付孔６及び挿通孔２８に、例えば、止着部材３０としてのボルト３１を取付孔６側から挿入し、ボルト３１頭を取付孔６の段部に当接させる。そして、フランジ２７の外側からボルト３１にワッシャ２２を挿通しナット３３を螺合して締め付け、ベース２０をデッキＤに止着する。
【００３３】
この場合、デッキＤの既存の取付孔６を利用することができるので、新たに取付孔６を設けることなく、脚装置Ｋを容易に取り付けることができるようになり、作業性の向上を図ることができる。また、新たに取付孔６を設ける場合に生じる虞のある既存の取付孔６と干渉してしまう事態もないことから、固定がしっかりし、天板としてのデッキＤの支持を確実にすることができる。
【００３４】
このようにして、組み立てられた実施の形態に係るテーブルＴを使用するときは、脚装置Ｋの脚体１０を起立位置Ｙにする。この場合、図６に示すように、接地部１２を、デッキＤの面方向に沿い且つデッキＤの幅方向に延びる幅方向部１５と、幅方向部１５の両側に形成された円弧状の円弧部１６とを備えて構成したので、棒材１３であっても幅方向部１５と円弧部１６で接地範囲を広く取ることができ、それだけ、安定してデッキＤを支持することができる。
また、使用しないときは、図７に示すように、脚装置Ｋの脚体１０を折り畳み位置Ｘにする。脚体１０を折り畳んでコンパクトすることができ、収納や搬送を容易にすることができる。
【００３５】
尚、上記実施の形態において、脚装置Ｋの脚体１０を金属製棒材１３で形成したが、必ずしもこれに限定されるものではなく、図８（ａ）に示すように、棒状体で構成しても良く、適宜変更して差し支えない。また、上記実施の形態では、脚体１０を折り畳み可能にしたが、必ずしもこれに限定されるものではなく、ベース２０に固定しても良く、適宜変更して差し支えない。
【００３６】
また、上記実施の形態において、脚装置Ｋは、その一対をノーズ側取付部７及びテール側取付部８に夫々取り付けて用いるように構成したが、必ずしもこれに限定されるものではなく、図８（ｂ）に示すように、ベース２０の大きさを、ノーズＤａ側からテールＤｂ側に跨る大きさの１つのものにして、ノーズ側取付部７及びテール側取付部８に取付けるようにしても良く、また、脚体１０も１つにし、あるいは２以上にする等しても良く、適宜変更して差し支えない。
【００３７】
更に、上記実施の形態においては、止着部材３０として、ボルト３１を用いたが、必ずしもこれに限定されるものではなく、例えば、ベース２０側から挿通孔２８を通して取付孔６にネジ込まれる木ネジであってもよく、適宜変更して差し支えない。更にまた、上記実施の形態では、デッキＤとして、一度前輪部１及び後輪部２が取り付けられて使用されたものを用いたが、必ずしもこれに限定されるものではなく、最初から新品のデッキＤを用いてもよいことは勿論である。
【００３８】
尚また、上記実施の形態において、走行ボードＳのデッキＤは、ノーズ側取付部７の取付孔６とテール側取付部８の取付孔６との配置が互いに同じあるが、本考案は、ノーズ側取付部７の取付孔６とテール側取付部８の取付孔６との配置が互いに異なっていても、適用できる。その際には、例えば、ノーズ側取付部７の取付孔６及びテール側取付部８の取付孔６の両者に対応した挿通孔２８を、ベース２０に設ける。この場合は、脚装置Ｋは、一種類のもので良い。もし、ノーズ側取付部７の取付孔６及びテール側取付部８の取付孔６の両者に対応させて挿通孔２８を形成できない場合には、夫々、対応する二種類の脚装置Ｋを作成して用いれば良い。
また、脚装置Ｋにおいて、脚体１０の長さの異なるものを、数種類用意して良いことは勿論である。
【符号の説明】
【００３９】
Ｔ  テーブル
Ｋ  脚装置
Ｓ  走行ボード（スケートボード）
Ｄ  デッキ
Ｄａ  ノーズ
Ｄｂ  テール
６  取付孔
７  ノーズ側取付部
８  テール側取付部
１０  脚体
１１  基端部
１２  接地部
１３  棒材
１４  回動軸
Ｑ  軸線
１５  幅方向部
１６  円弧部
Ｘ  折り畳み位置
Ｙ  起立位置
２０  ベース
２１  脚体支持部
２２  開口
２３  軸受部
２４  折り畳み位置決め凹部
２５  起立位置決め凹部
２７  フランジ
２８  挿通孔
Ｐａ，Ｐｂ，Ｐｃ  ピッチ
３０  止着部材
３１  ボルト
３３  ナット
【図１】
0003182946.tif 000003
【図２】
0003182946.tif 000004
【図３】
0003182946.tif 000005
【図４】
0003182946.tif 000006
【図５】
0003182946.tif 000007
【図６】
0003182946.tif 000008
【図７】
0003182946.tif 000009
【図８】
0003182946.tif 000010
【図９】
0003182946.tif 000011
【図１０】
0003182946.tif 000012